(57)【特許請求の範囲】
【請求項１】
予め決められたチャンネル及び時間帯のＥＰＧ情報の全部または一部を表示させるＥＰＧ情報表示方法であって、
前記ＥＰＧ情報を表示させた状態で、（１）所定のズーム命令に応じてその直前に表示されていたチャンネル及び時間帯よりも多いチャンネル数または時間帯のＥＰＧ情報に変更するときは、より少ない情報量の情報を選択して表示する第１のＥＰＧ情報表示方法と、（２）所定のズーム命令に応じてその直前に表示されていたチャンネル及び時間帯よりも少ないチャンネル数または時間帯のＥＰＧ情報に変更するときは、より多い情報量の情報を選択して表示する第２のＥＰＧ情報表示方法とを選択して用いることができ、
画面上に表示されている各番組に対するＥＰＧ情報は、番組放送時間帯によって表示すべきＥＰＧ情報量を変えることを特徴とするＥＰＧ情報表示方法。
【請求項２】
予め決められたチャンネル及び時間帯のＥＰＧ情報の全部または一部を表示させるＥＰＧ情報表示方法であって、
前記ＥＰＧ情報を表示させた状態で、（１）所定のズーム命令に応じてその直前に表示されていたチャンネル及び時間帯よりも多いチャンネル数または時間帯のＥＰＧ情報に変更するときは、より少ない情報量の情報を選択して表示する第１のＥＰＧ情報表示方法と、（２）所定のズーム命令に応じてその直前に表示されていたチャンネル及び時間帯よりも少ないチャンネル数または時間帯のＥＰＧ情報に変更するときは、より多い情報量の情報を選択して表示する第２のＥＰＧ情報表示方法とを選択して用いることができ、
画面上に表示されている各番組に対するＥＰＧ情報は、番組ジャンルによって表示すべきＥＰＧ情報を変えることを特徴とするＥＰＧ情報表示方法。
【請求項３】
予め決められたチャンネル及び時間帯のＥＰＧ情報の全部または一部を表示させるＥＰＧ情報表示方法であって、
前記ＥＰＧ情報を表示させた状態で、（１）所定のズーム命令に応じてその直前に表示されていたチャンネル及び時間帯よりも多いチャンネル数または時間帯のＥＰＧ情報に変更するときは、より少ない情報量の情報を選択して表示する第１のＥＰＧ情報表示方法と、（２）所定のズーム命令に応じてその直前に表示されていたチャンネル及び時間帯よりも少ないチャンネル数または時間帯のＥＰＧ情報に変更するときは、より多い情報量の情報を選択して表示する第２のＥＰＧ情報表示方法とを選択して用いることができ、
前記ＥＰＧ情報は、その内容を表す項目が予め優先順位付けされており、表示する際優先順位の高い前記項目から表示することを特徴とするＥＰＧ情報表示方法。
【請求項４】
請求項１〜３のいずれかに記載のＥＰＧ情報表示方法の動作をコンピュータで実行させるためのプログラムを格納していることを特徴とするプログラム記録媒体。
【発明の詳細な説明】
【０００１】
【発明の属する技術分野】
本発明は、テレビ放送におけるＥＰＧ情報を表示するためのＥＰＧ情報表示方法、及びプログラム記録媒体に関するものである。
【０００２】
【従来の技術】
現在、テレビ番組の放送予定は、新聞や雑誌等によって、視聴者に知らされている。ところで、新聞や雑誌の代替となるものとして、ＥＰＧ（Ｅｌｅｃｔｒｉｃａｌ  Ｐｒｏｇｒａｍ  Ｇｕｉｄｅ：電子番組情報ガイド）というものが提案されており、将来的には、そのＥＰＧをも利用して、テレビ番組の放送予定が視聴者に知らされることになる。ＥＰＧは、テレビ放送局等から送信されるものであって、現在の新聞や雑誌等に記載されているようなテレビ番組の放送予定のデータであり、番組の放送予定日、時間帯、チャンネル、番組名、出演者等が各番組毎に記載されたものである。
【０００３】
従来のＥＰＧ情報表示例について図２６を参照して説明する。図２６は従来のＥＰＧ情報の表示例である。このようにテレビ受像機やパソコンのディスプレイにＥＰＧ情報が表示される。横方向にチャンネルごとにＥＰＧ情報が表示されている。すなわちＮＨＫ総合、ＮＨＫ教育、毎日テレビ、ＡＢＣテレビ、関西テレビ、読売テレビの順にＥＰＧ情報が表示されている。またＥＰＧが表示される時間帯は２１時から２２時となっている。テレビ受像機にＥＰＧ情報が表示されている場合はリモコンを用いて、またパソコンのディスプレイにＥＰＧ情報が表示されている場合はマウスを用いて表示画面をスクロールさせることができる。すなわち、２１時から２２時の時間帯のみならず、１２時から１４時までの時間帯など、自由に時間帯を変えてＥＰＧ情報を表示することが出来る。また横方向に画面をスクロールすることによって現在画面に表示されていないチャンネルのＥＰＧ情報を表示することができる。
【０００４】
【発明が解決しようとする課題】
しかし、上述したように従来のＥＰＧ表示例では、ＥＰＧ情報を表示する時間帯が所定の時刻を中心として、２時間と固定されてしまうという問題がある。すなわち所定の時刻を中心として、未来と過去それぞれ１時間分のＥＰＧ情報は画面に表示されるがそれ以外の時間帯のＥＰＧ情報はスクロールしないと画面に表示されず、ＥＰＧ全体を俯瞰することができない。そこでＥＰＧ情報のなるべく広い範囲を一度に俯瞰するためにＥＰＧ情報を表示する時間幅を２時間でなくて３時間にすることも考えられる。また５時間にすることも考えられる。しかしＥＰＧ情報を表示する時間幅を大きくすると、ＥＰＧ情報を表示するスペースが小さくなり、ＥＰＧ情報が見づらくなるといった問題が生じる。
【０００５】
本発明は従来のＥＰＧ表示方法ではＥＰＧ情報を表示する時間帯が固定されてしまい一度にＥＰＧ情報の広い範囲を俯瞰することが出来ないという課題と、ＥＰＧ情報を表示する時間幅を大きくすると、ＥＰＧ情報を表示するスペースが小さくなりＥＰＧ情報が見づらくなるという課題を考慮し、一度に時間帯とチャンネルの広い範囲のＥＰＧ情報を俯瞰することが出来、広い範囲のＥＰＧ情報を表示しても、ＥＰＧ情報がスペース不足のため見づらくないＥＰＧ情報表示方法を提供するものである。
【０００６】
【課題を解決するための手段】
上述した課題を解決するために、第１の本発明は、予め決められたチャンネル及び時間帯のＥＰＧ情報の全部または一部を表示させるＥＰＧ情報表示方法であって、
前記ＥＰＧ情報を表示させた状態で、（１）所定のズーム命令に応じてその直前に表示されていたチャンネル及び時間帯よりも多いチャンネル数または時間帯のＥＰＧ情報に変更するときは、より少ない情報量の情報を選択して表示する第１のＥＰＧ情報表示方法と、（２）所定のズーム命令に応じてその直前に表示されていたチャンネル及び時間帯よりも少ないチャンネル数または時間帯のＥＰＧ情報に変更するときは、より多い情報量の情報を選択して表示する第２のＥＰＧ情報表示方法とを選択して用いることができ、
画面上に表示されている各番組に対するＥＰＧ情報は、番組放送時間帯によって表示すべきＥＰＧ情報量を変えることを特徴とするＥＰＧ情報表示方法である。
また、第２の本発明は、予め決められたチャンネル及び時間帯のＥＰＧ情報の全部または一部を表示させるＥＰＧ情報表示方法であって、
前記ＥＰＧ情報を表示させた状態で、（１）所定のズーム命令に応じてその直前に表示されていたチャンネル及び時間帯よりも多いチャンネル数または時間帯のＥＰＧ情報に変更するときは、より少ない情報量の情報を選択して表示する第１のＥＰＧ情報表示方法と、（２）所定のズーム命令に応じてその直前に表示されていたチャンネル及び時間帯よりも少ないチャンネル数または時間帯のＥＰＧ情報に変更するときは、より多い情報量の情報を選択して表示する第２のＥＰＧ情報表示方法とを選択して用いることができ、
画面上に表示されている各番組に対するＥＰＧ情報は、番組ジャンルによって表示すべきＥＰＧ情報を変えることを特徴とするＥＰＧ情報表示方法である。
また、第３の本発明は、予め決められたチャンネル及び時間帯のＥＰＧ情報の全部または一部を表示させるＥＰＧ情報表示方法であって、
前記ＥＰＧ情報を表示させた状態で、（１）所定のズーム命令に応じてその直前に表示されていたチャンネル及び時間帯よりも多いチャンネル数または時間帯のＥＰＧ情報に変更するときは、より少ない情報量の情報を選択して表示する第１のＥＰＧ情報表示方法と、（２）所定のズーム命令に応じてその直前に表示されていたチャンネル及び時間帯よりも少ないチャンネル数または時間帯のＥＰＧ情報に変更するときは、より多い情報量の情報を選択して表示する第２のＥＰＧ情報表示方法とを選択して用いることができ、
前記ＥＰＧ情報は、その内容を表す項目が予め優先順位付けされており、表示する際優先順位の高い前記項目から表示することを特徴とするＥＰＧ情報表示方法である。
また、第４の本発明は、第１〜３の本発明のいずれかに記載のＥＰＧ情報表示方法の動作をコンピュータで実行させるためのプログラムを格納していることを特徴とするプログラム記録媒体である。
【００１４】
【発明の実施の形態】
（実施の形態１）
以下に、本発明の第１の実施の形態について図面を参照して説明する。
【００１５】
本実施の形態では、ＥＰＧ画面表示をズーム処理を行い拡大縮小することをはじめ種々の操作を施す場合を説明する。
【００１６】
まず図１と図２にシステム構成を示す。まず図１に基づいて本実施の形態の構成について説明する。放送局１はテレビ番組とＥＰＧ情報を送る手段である。チューナ２は放送局１から送られてくるテレビ番組とＥＰＧ情報を受信する手段である。ここではチューナ２はひとつのブロックとして表示されているが、画面構成上、複数個の各種チューナが配置されている。チューナ２のチャンネル選択はマイコン７より指示が送られる。入力切替手段３はチューナ２から送られてきたテレビ番組とＥＰＧ情報を入力するかあるいはＩＥＥＥ１３９４シリアルバスによって接続されている外部ＡＶ機器から送られてくる再生映像データを入力するかを切り替える手段である。入力切替手段３は、外部ＡＶ機器制御手段６にあるマイコン７によってその入力信号の選択が制御される。また、これらの指示はユーザが外部のリモコン２４を用いて指示を行い、その制御信号は、リモコン信号受信手段２３を介してマイコン７へ送られる。ＥＰＧ画面生成手段４は入力切替手段３から送られてくるテレビ番組とＥＰＧ情報と外部ＡＶ機器から送られてくる再生映像データとを入力としてＥＰＧ画面を生成し、また外部ＡＶ機器制御手段６で外部機器を制御するための情報を作成する手段である。ＥＰＧ画面生成手段４の構成については後述する。表示モニタ５はＥＰＧ情報やテレビ番組や再生映像データを表示する手段である。外部ＡＶ機器制御手段６はＩＥＥＥ１３９４シリアルバスによって接続されているＶＴＲ１０、ＤＶＤ１１、ＨＤＤ１２などの外部ＡＶ機器を再生し映像データを得たり、またこれらの外部ＡＶ機器に映像データを記録したりするために外部ＡＶ機器を制御する手段である。
【００１７】
外部ＡＶ機器制御手段６は次のように構成される。ＥＰＧ画面生成手段４より受け取ったＥＰＧデータをマイコン７で以下に述べる各種手段の処理を行う。
すなわち、ＥＰＧ画面生成手段４から受け取ったＥＰＧデータを番組情報として管理し外部記録機器との関連付けを行うＥＰＧデータ管理手段８、ＩＥＥＥ１３９４シリアルバスを介して記録機器を制御信号を生成するための外部記録機器制御信号生成手段２１、ＩＥＥＥ１３９４シリアルバスを介して外部記録機器との接続プロトコルを管理する外部記録機器接続管理手段２２である。ＩＥＥＥ１３９４ディジタルインターフェース部９はＩＥＥＥ１３９４−１９９５の規格に基づいたシリアルバスを介して接続されているＶＴＲ１０、ＤＶＤ１１、ＨＤＤ１２などの外部記録機器のインターフェースであり、マイコン７を介してＡＶデータの入出力や制御コマンドのやりとりが行われる。
【００１８】
次に前述したように図２を参照してＥＰＧ画面生成手段４の構成を説明する。ＥＰＧデータ分離手段１３は放送局１から送られてきたテレビ番組とＥＰＧデータからＥＰＧデータを分離し取り出す手段である。ＥＰＧデータセル化格納手段１４はＥＰＧデータ分離手段１３で分離し、取り出したＥＰＧデータのデータ形式を変換しデータベース化してメモリや記録媒体（図示せず）に格納する手段である。番組情報抽出手段１５はＥＰＧデータセル化格納手段１４に格納されているＥＰＧデータから表示モニタ５に表示するのに必要な情報を抽出したり、外部記録機器を制御するための情報を抽出し、外部ＡＶ機器制御手段６へ出力する、あるいは外部ＡＶ機器制御手段６からＥＰＧデータを表示するために必要なデータを受け取るための手段である。番組情報検索条件入力手段１６は番組情報抽出手段１５にて検索を行うための検索条件を入力する手段である。検索条件を入力するための装置としてリモコンやキーボード、マウスといった入力装置を用いる（図示せず）。番組情報セル領域選択手段１７は番組情報抽出手段１５で表示モニタ５に表示するのに必要な情報を抽出するために番組情報を選択する手段である。映像データ表示手段１８はチューナ２で受信されたテレビ番組などの映像データを表示する手段である。合成手段１９は映像データとＥＰＧデータを合成して表示モニタ５に表示する手段である。ＥＰＧデータ表示手段２０はＥＰＧデータを表示する手段である。本実施の形態では、番組情報セル領域選択手段１７は、機器側で事前にいくつかのパターンの選択領域サイズを３種類決めておき、その選択領域サイズをリモコンやキーボード、マウスといった入力装置（図示せず）でそのパターンを選択し移動させることで、表示のズームサイズを変更することができる。以下の説明では入力装置としてリモコンを用いた例でその動作を説明する。
【００１９】
次にこのような本実施の形態の動作を説明する。
【００２０】
まず図２のＥＰＧデータセル化格納手段１４で格納されるデータについて説明する。放送局１から送られてきたＥＰＧ情報はチューナ２で受信され、ＥＰＧデータ分離手段１３で番組データからＥＰＧデータが分離され取り出されたあと、ＥＰＧ画面生成手段４の構成要素であるＥＰＧデータセル化格納手段１４で保存される。
【００２１】
このときのＥＰＧデータの形式は、図３のような番組情報一覧表３１にして格納する。すなわちＸ軸３２を表の横向きにとり、これと直交する向きにＹ軸３３をとる。Ｘ軸３２はチャンネルを表し、Ｙ軸３３は時刻を表す。各チャンネルごとに、時刻は１５分間隔で、番組情報セル３４に分割する。番組情報セル３４は図３に記述されているような情報を持つ。つまりチャンネル、放送日時、番組名、ジャンル、放送モード、番組詳細情報、動画像、音声である。これらは放送局から送られてくるデータである。ここで、チャンネルとは番組情報セルに登録される番組が放送されるチャンネルのことである。放送日時とはその番組の放送開始日時と終了日時のことである。番組名はその番組の名前である。ジャンルとはその番組が属する分類であり、例えば「スポーツ」、「映画」、「ドラマ」、「ニュース」などに分類できる。また、番組情報セルの内部では、これらの分類は、必要に応じて、さらに細分化情報を持つ。例えば、大分類「スポーツ」、中分類「野球」、小分類「プロ」と分類された情報となる。放送モードとはその番組が「２カ国語放送」、「文字放送」、「ワイド放送」などかどうかを示す放送の種類である。番組詳細情報とはその番組の見どころやストーリー、出演者などの詳細な説明である。動画像とはその番組を説明するための番組のハイライト部分の映像データを動画像として格納したものである。また音声とはその番組を説明するための番組のハイライト部分を音声データとして格納したものである。以上のようなデータが番組情報セル３４に格納されている。
【００２２】
番組情報セルは、各セルごとにＥＰＧデータセル格納手段１４に含まれるメモリ（図示せず）上のあるアドレス空間に、上記各種情報を格納される。そして、各番組情報セルがどこにあるかを示すテーブルを合わせ持ち、データベース化されたデータとして格納されている。
【００２３】
ただし、１５分間より短い番組は一つの番組情報セルの中に複数個埋め込まれる。つまりＡという番組とＢという番組が放送時刻の関係で一つの番組情報セルに格納される場合、この一つのセルが番組Ａ、ＢのＥＰＧ情報を保持する。またこれとは逆に一つの番組Ｃが１５分間より放映時間の長い番組である場合、複数の番組情報セルに同じ番組の情報が以下のように格納される。番組の先頭にあたる番組情報セル（先頭番組情報セル）に該当するメモリアドレス空間に各種番組情報が格納され、それに続く番組情報セルに相当するメモリアドレス空間には、その番組情報が格納されている先頭番組情報セルのメモリアドレスを示すポインタ情報を格納することで行う。もちろん先頭番組情報セルと同じ内容を格納してもよいが、その場合は必要となるメモリ容量が大きくなる。
【００２４】
例えばＣという番組が１時間番組であったとすると、この場合４つの番組情報セルにＣのＥＰＧ情報が重複して格納される。このようにＥＰＧ情報をチャンネルごとに１５分単位で区切って保持することにより、ＥＰＧ情報が扱い易くなる。すなわち後述するように、画面表示例１の場合の選択領域３５で選んだ番組情報セル群に対してはその長方形領域の内部にあるＥＰＧ情報が表示モニタ５に図１６のように表示される。また画面表示例２の場合の選択領域３６で選んだ番組情報セル群に対してはその長方形領域の内部にあるＥＰＧ情報が表示モニタ５に図１７のように表示される。また画面表示例３の場合の選択領域３７で選んだ番組情報セル群に対してはその長方形領域の内部にある情報が表示モニタ５に図１８のように表示される。
【００２５】
上述したようなデータを用いてＥＰＧ画面生成手段４は種々のＥＰＧ画面を生成する。すなわちＥＰＧデータ分離手段１３で分離されたＥＰＧ情報を特有のデータ形式で格納したＥＰＧデータセル化格納手段１４の情報を参照して、番組情報抽出手段１５は番組情報セル領域選択手段１７から入力された図１６の画面表示例１（以下ＥＰＧ３と表記する）の場合の選択領域３５、図１７の画面表示例２（以下ＥＰＧ５と表記する）の場合の選択領域３６、図１８の画面表示例３（以下ＥＰＧ１１と表記する）の場合の選択領域３７のような領域をもとにＥＰＧ情報の表示方法を変える。番組情報抽出手段１５で抽出された番組情報はＥＰＧ表示手段２０により表示されるが、さらにチューナ２から送られてくる現時間帯の番組を映像データ表示手段１８でＥＰＧ情報と同時に表示する。つまり現時間帯の映像とＥＰＧ情報が合成手段１９により表示モニタ５上に合成して表示される。
【００２６】
前述したように、ＥＰＧ情報を表示する表示例としては次の３通りがある。
【００２７】
第１の表示例は図３の番組情報一覧表において番組情報セルからなる領域を画面表示例１の場合の選択領域３５のように選択した場合の表示画面ＥＰＧ３である。すなわち、選択領域３５は、画面表示に対するズーム量をチャンネル単位、時間帯単位で指定したことになる。この場合表示画面は図１６のようになる。図１６では３個のチャンネルのＥＰＧ情報が表示されている。図１６においてチャンネル区分１２４は放送局の持っているチャンネルの周波数帯、有線放送、衛星放送、有料放送などの区別を表すものである。番組時間１２５は番組の放送される日時、曜日、放送開始時間、放送終了時間、チャンネルなどからなる。チャンネル名１２６はチャンネル番号と放送局名がアイコンになって表示されている。番組名１２７は現在選択されている番組の名前である。現在選択されている映像１２８は、図３の番組情報一覧表において選択された領域の中央にある番組である。現在の画面では、ゴールデン洋画劇場「ロマンシング・ストーン秘宝の谷」が現在選択されており、その映像が表示されている。現在選択されているチャンネルの番組詳細情報１２９は現在選択されている番組であるゴールデン洋画劇場「ロマンシング・ストーン秘宝の谷」の詳細な説明が表示されている。ジャンル表示１３０は現在選択されている番組のジャンルが表示されている。現在選択されている番組のジャンルは映画なので、映画の部分の色を変えて表示されている。現在選択されているチャンネルの映像１３１は現在選択されているチャンネルで現在放映されている番組が表示されている。また隣のチャンネルの映像１３２は図３で現在選択されている番組情報セルの左となりの番組情報セルに対応する番組の映像である。また隣のチャンネルの映像１３３は図３で現在選択されている番組情報セルの右となりの番組情報セルに対応する番組の映像である。以上が画面表示例１の場合の選択領域３５に対応する表示画面である。この画面はＥＰＧ画面生成手段４で以下のように生成される。
【００２８】
ＥＰＧ画面生成手段４では、番組情報セル領域選択手段１７で選択された選択領域３５内にあるチャンネル番号情報、すなわちこの場合はｃｈ１０，１２，１９を番組情報抽出手段１５を介して、外部ＡＶ機器制御手段６にあるマイコン７に伝える。
【００２９】
マイコン７はｃｈ１０、１２、１９の映像データがチューナ２から出力されるように、チャンネル選択を行う。このチューナ２からの映像データは映像データ表示手段１８で、地画面中央および右上部分にｃｈ１２の映像が、その左隣にｃｈ１０の映像が、また右隣にｃｈ１９の映像が表示されるように、画面サイズおよびレイアウトを決定する。
【００３０】
一方、番組情報抽出手段１５でｃｈ１０，１２，１９で選択されている番組のＥＰＧデータを取り出し、その情報をＥＰＧデータ表示手段２０に伝える。ＥＰＧデータ表示手段２０では、画面中央部分表示されているｃｈ１２で放映されている番組タイトル、放映日時、チャンネル区分、といった内容を画面上部に、またその番組詳細情報、ジャンル区分を画面左下にレイアウトして表示する。
【００３１】
このような画面全体のレイアウトは番組情報セル領域選択手段１７で選択された範囲と事前に対応付けている。この対応付けにしたがって、映像データ表示手段１８およびＥＰＧデータ表示手段２０でレイアウトを決定され、合成手段１９で画面が構成され表示モニタ５に出力される。
【００３２】
さらに、現在選択されている映像１２８が放送がまだ行われていない未来の番組か、またはすでに放送が終了した過去の番組である場合、現在選択されている映像１２８の部分には、番組情報セル３４が持つ動画像データ、音声データが表示される。つまり選択されている番組のハイライト部分が表示される。また隣のチャンネルの映像１３２、１３３の部分にも同じように動画像データ、音声データなどの番組のハイライト部分が表示される。ただし未来の番組あるいは過去の番組が選択されている場合であっても、現在選択されているチャンネルの映像１３１の部分には選択されているチャンネルの現時刻の番組が表示される。
【００３３】
第２の表示例は図３の番組情報一覧表において番組情報セルからなる領域を画面表示例２の場合の選択領域３６のように選択した場合の表示画面ＥＰＧ５である。この場合表示画面は図１７のようになる。この場合５個のチャンネル分のＥＰＧ情報を画面に表示している。すなわち第１の表示例（図１６）より縮小した画面となっており、選択領域３６を選択領域３５よりも広げて指定したことにより、ＥＰＧ情報を表示させるためのズーム量を縮小したことになる。
【００３４】
チャンネル表示１３４は横向きにチャンネルを表示したものである。時刻表示１３５は縦向きに時刻を表示したものである。現時刻１３６にはチャンネルごとに現時間帯に放送されている番組の映像が表示されている。すなわち現在放送されている他チャンネルの映像１３７や現時刻１３６の中央部分には現在選択されているチャンネルの映像１３８が番組情報と重ね合わせて表示されている。さらに現在選択されているチャンネルの映像１３８は画面右上の部分に現在選択されているチャンネルの拡大映像１３９として表示されている。現時刻以外の未来および過去の番組欄には図のように番組情報が表示される。煩雑になるため省略したが、実際には図１７の空白部分まで番組情報が表示されている。さらに現在選択されている番組の放映時間間隔１４０で現在選択されている番組の放送時間帯を知ることができる。さらに、現在選択されているチャンネルの映像１３８が放送がまだ行われていない未来の番組か、またはすでに放送が終了した過去の番組である場合、現在選択されているチャンネルの映像１３８の部分には、番組情報セル３４が持つ動画像データ、音声データが表示される。つまり選択されている番組のハイライト部分が表示される。また現在放送されている他チャンネルの映像１３７の部分も同じように動画像データ、音声データなどの番組のハイライト部分が表示される。ただし未来の番組あるいは過去の番組が選択されている場合であっても、現在選択されているチャンネルの拡大映像１３９の部分には選択されているチャンネルの現時刻の番組が表示される。
【００３５】
第３の表示例は図３の番組情報一覧表において番組情報セルからなる領域を画面表示例３の場合の選択領域３７のように選択した場合の表示画面ＥＰＧ１１である。この場合表示画面は図１８のようになる。
【００３６】
すなわち、選択領域３７は、選択領域３５あるいは３６よりもさらに拡大して指定していることにより、ＥＰＧ情報を表示するためのズーム量をさらに縮小したことになる。
【００３７】
この場合１１個のチャンネル分のＥＰＧ情報を画面に表示している。すなわち第２の表示例（図１７）より縮小した画面となっている。チャンネル表示１４１は横向きにチャンネルを表示したものである。時刻表示１４２は縦向きに時刻を表示したものである。現時刻１４３にはチャンネルごとに現時間帯に放送されている番組の映像が表示されている。すなわち現在放送されている他チャンネルの映像１４４や現時刻１４３の中央部分には現在選択されているチャンネルの映像１４５が番組情報と重ね合わせて表示されている。さらに現在選択されているチャンネルの映像１４５は画面右上の部分に現在選択されているチャンネルの拡大映像１４６として表示されている。現時刻１４３以外の未来および過去の番組欄には煩雑になるため省略したが、実際には図１７の空白部分にまで番組情報が表示されている。さらに現在選択されている番組の放映時間間隔１４７で現在選択されている番組の放送時間帯を知ることができる。さらに、現在選択されているチャンネルの映像１４５が放送がまだ行われていない未来の番組か、またはすでに放送が終了した過去の番組である場合、現在選択されているチャンネルの映像１４５の部分には、番組情報セル３４が持つ動画像データ、音声データが表示される。つまり選択されている番組のハイライト部分が表示される。また現在放送されている他チャンネルの映像１４４の部分にも同じように動画像データ、音声データなどの番組のハイライト部分が表示される。ただし未来の番組あるいは過去の番組が選択されている場合であっても、現在選択されているチャンネルの拡大映像１４６の部分には選択されているチャンネルの現時刻の番組が表示される。
【００３８】
第２の表示例ＥＰＧ５（図１７）や第３の表示例ＥＰＧ１１（図１８）において時刻表示１３５や時刻表示１４２の目盛りの間隔が時刻によって長さが変わっている。これは時間帯によって放送される番組のジャンルが異なっている傾向があり、ジャンルによってＥＰＧ情報の表示量に差がでてくることを考慮しているからである。例えばニュース番組などは表示するＥＰＧ情報は少なくてよいが、ドラマなどはストーリーの説明など表示するＥＰＧ情報が多くなる。このようにＥＰＧ情報を表示する時間帯によって予め広さを重み付けしておくことによって、必要な情報をより詳細に得ることができる。
【００３９】
第１の表示例ＥＰＧ３（図１６）、第２の表示例ＥＰＧ５（図１７）、第３の表示例ＥＰＧ１１（図１８）でそれぞれ表示されているＥＰＧ情報の項目に差がある。すなわち拡大されている第１の表示例ＥＰＧ３（図１６）では最も多くのＥＰＧ情報の項目が表示されており、次に第２の表示例ＥＰＧ５（図１７）で多くの項目が表示されており、縮小されている第３の表示例ＥＰＧ１１（図１８）では表示されているＥＰＧ情報の項目が最も少ない。これは、図２の番組情報抽出手段１５で、ＥＰＧ情報を表示すべきエリアの大きさや、そのエリアを表示する際の画素数や、そのエリア内に書ける文字数を考慮してＥＰＧ情報の表示する項目を決定することで実現できる。
【００４０】
例えば、ＥＰＧ３で、画面中央に表示される番組に対するＥＰＧ情報はすべて、表示されるのに対し、ＥＰＧ５の場合、１番組当たりの表示面積が小さくなるため、映像データと番組タイトルのみとなる。さらにＥＰＧ１１となると、文字数に制限され、番組タイトルが途中までの表示となる。
【００４１】
またこの際、図３の番組情報セル３４の有する情報は、予め優先順位付けられており、この順位に従って表示されるＥＰＧ情報の項目が決定される。例えば、番組名、チャンネル、放送日時、番組詳細情報、放送モード、ジャンル、動画像、音声の順に優先付けられている場合などを考えることができる。あるいは、本実施の形態の場合、第１〜３の表示例の３通りの倍率でＥＰＧ情報が表示されるので、予めこの３通りの画面で表示するＥＰＧ情報の項目を決めておくことも可能である。
【００４２】
次に第１の表示例ＥＰＧ３（図１６）、第２の表示例ＥＰＧ５（図１７）、第３の表示例ＥＰＧ１１（図１８）の間を移動する際の操作やそれらの表示処理のための操作について説明する。これらの操作はリモコン２４を用いて行われるので、まずリモコン２４の構成から説明する。
【００４３】
図１に示すリモコン２４は赤外線を用いたもので、外部機器制御手段６の中にあるリモコン信号受信手段２３へリモコン２４の各ボタンに対応した制御コードが送られる。リモコン制御信号受信手段２３は受け取った制御コードを、マイコン７に伝え、マイコン７は以下に説明する制御を指示する。
【００４４】
このようなＥＰＧ表示画面を操作するリモコンについて図４を参照して説明する。このようなリモコンを使うことによりＥＰＧ表示画面の表示方法の変更、番組の選択、外部機器を用いた録画や再生、検索などを平易な操作で行うことができる。図４でリモコンの各ボタンの上側に付された１６進数はそのボタンを表すキーコードであり、後述する操作フロー（図５〜８）やフローチャート（図９〜１５）にも共通して用いられている。
【００４５】
次にリモコンの各ボタンの説明を行う。
デバイス４１はＶＴＲ１０やＤＶＤ１１やＨＤＤ１２などの外部記録機器を使用するためにいずれか一つの機器を選択するためのボタンである。トグル４３は２通りのウィンドウの表示方法を切り替えるボタンである。視聴４４は視聴予約を行うためのボタンである。録画４５は録画予約を行うためのボタンである。戻る４６はリモコンでの処理を前の状態に戻すためのボタンである。ライブＣＨへ戻る４７は全画面に一つの番組を表示する状態に戻すためのボタンである。過去プログラムへ４８はＥＰＧ情報が表示されているときＥＰＧ情報を過去の向きに移動して表示するボタンである。Ｃｈ切り替え４９はＥＰＧ情報が表示されているときチャンネルを左側に切り替えるボタンである。Ｃｈ切り替え５０はＥＰＧ情報が表示されているときチャンネルを右側に切り替えるボタンである。未来プログラムへ５１はＥＰＧ情報が表示されているときＥＰＧ情報を未来の向きに移動して表示するボタンである。確定５２はリモコン操作の処理を確定するボタンである。検索５３はＥＰＧ情報全体のうち検索条件に該当する番組を検索するボタンである。リンク５４はＥＰＧ情報全体のうち現在選択されている番組と関連のある番組を検索するボタンである。奥へ５７はＥＰＧ表示画面を拡大するボタンである。手前へ５８はＥＰＧ表示画面を縮小するボタンである。
【００４６】
さらに、Ｃｈ切り替え４９、Ｃｈ切り替え５０、過去プログラムへ４８、未来プログラムへ５１及び確定５２の各ボタンは、表示モニタ５上に表示されているカーソルを移動し、カーソルの位置する項目を選択するといった機能もあわせ持つものである。これについては後述する。以上でリモコンの各ボタンの構成の説明を行った。
【００４７】
次に画面の表示を変える表示処理のための操作について説明する。
【００４８】
まず図９はテレビ受像機の電源を入れたときの表示画面処理の流れである。まずテレビ受像機の電源を入れる（Ｓ１）と画面は全画面表示（Ｓ３）となる。このとき画面には電源投入時に予め選択されていたチャンネルの現時刻の番組が画面全面に表示される。視聴者は選択されているテレビ番組を視聴することができる。さらにリモコン入力待ち（Ｓ４）で、リモコンからなんらかの入力がなされたら図１０〜１５に処理が移る。
【００４９】
リモコン入力待ち（Ｓ４）で選択領域左シフト（Ｓ５）が選択された場合、すなわちリモコンでＣｈ切り替え４９のボタンが押された場合、図３における番組情報セルの選択領域を左側にスクロールする。つまり図１０のフローチャート図において選択領域を左へ１セル移動（Ｓ６）する。さらに画面中央に表示されているチャンネルの変更（Ｓ７）を行う。さらに画面中央に表示されるチャンネルの番組情報の変更（Ｓ８）を行う。以上の処理が終了すると画面はチャンネル軸にそってチャンネルの番号の小さい向きにすなわち左側に１チャンネル分だけスクロールしたことになる。そしてリモコン入力待ち（Ｓ９）になり、リモコンからなんらかの入力がなされたら図１０〜１５のフローチャート図に処理が移る。
【００５０】
リモコン入力待ち（Ｓ４）で選択領域右シフト（Ｓ１０）が選択された場合、すなわちリモコンでＣｈ切り替え５０のボタンが押された場合、図３における選択領域を右側にスクロールする。つまり図１１のフローチャート図において選択領域を右へ１セル移動（Ｓ１１）する。さらに画面中央に表示されているチャンネルの変更（Ｓ１２）を行う。さらに画面中央に表示されるチャンネルの番組情報の変更（Ｓ１３）を行う。以上の処理が終了すると画面はチャンネル軸にそってチャンネル番号の大きい向きにすなわち右側に１チャンネル分だけスクロールしたことになる。そしてリモコン入力待ち（Ｓ１４）になり、リモコンからなんらかの入力がなされたら図１０〜１５のフローチャート図に処理が移る。
【００５１】
リモコン入力待ち（Ｓ４）で選択領域縮小（Ｓ１５）が選択された場合、すなわちリモコンで奥へ５７のボタンがおされた場合、選択領域を縮小する。つまり図１２のフローチャート図において選択領域を１ステップ縮小する。さらに選択領域に応じてＥＰＧ画面モードを変更（Ｓ１７）する。さらにＥＰＧ画面モードに応じて表示番組情報を変更（Ｓ１８）する。チャンネルが１１個表示されている画面（図１８）が処理前の画面とすると、この処理を行うことによってチャンネルが５個表示されている画面（図１７）が処理後の画面となる。またチャンネルが５個表示されている画面（図１７）が処理前の画面とすると、この処理を行うことによってチャンネルが３個表示されている画面（図１６）が処理後の画面となる。またチャンネルが３個表示されている画面（図１６）が処理前の画面とすると、画面全体に現在選択されているチャンネルの映像が表示されている状態が処理後の画面となる。表示モニタ５に表示する際、処理前のチャンネル及び時間帯から処理後のチャンネル及び時間帯へ徐々に表示サイズを変更していくようにして表示画面の変化をわかりやすくすることもできる。また縮小する際、画面の中央のＥＰＧ情報を中心に縮小するようになっている。そしてリモコン入力待ち（Ｓ１９）になり、リモコンからなんらかの入力がなされたら図１０〜１５のフローチャート図に処理が移る。ただしまだ放送されていない未来の番組ともうすでに放送の終わった過去の番組を現在選択している場合は画面全体に現在選択している番組の映像を表示することはできないので、この画面には移行しない。
【００５２】
リモコン入力待ち（Ｓ４）で選択領域拡大（Ｓ２０）が選択された場合、すなわちリモコンで手前へ５８のボタンが押された場合、選択領域を拡大する。つまり図１３のフローチャート図において選択領域を１ステップ拡大する。さらに選択領域に応じてＥＰＧ画面モードを変更（Ｓ２２）する。さらにＥＰＧ画面モードに応じて表示番組情報を変更（Ｓ２３）する。チャンネルが１個だけ表示されている画面つまり画面全体に現在選択されている番組の映像が表示されている画面が処理前の画面とすると、この処理を行うことによって、チャンネルが３個表示されている画面（図１６）が処理後の画面となる。またチャンネルが３個表示されている画面（図１６）が処理前の画面とすると、チャンネルが５個表示されている画面（図１７）が処理後の画面となる。またチャンネルが５個表示されている画面（図１７）が処理前の画面とすると、チャンネルが１１個表示されている画面が処理後の画面となる。表示モニタ５に表示する際、処理前のチャンネル及び時間帯から処理後のチャンネル及び時間帯へ徐々に表示サイズを変更していくようにして表示画面の変化をわかりやすくすることもできる。また拡大する際、画面の中央のＥＰＧ情報を中心に拡大するようになっている。そしてリモコン入力待ち（Ｓ２４）になり、リモコンからなんらかの入力がなされたら図１０〜１５のフローチャート図に処理が移る。ただしまだ放送されていない未来の番組ともうすでに放送の終わった過去の番組を選択している場合は画面全体に現在選択している番組の映像を表示することはできないので、この画面は表示されず、チャンネルが３個表示されている画面（図１６）が最も拡大された画面となる。
【００５３】
リモコン入力待ち（Ｓ４）で選択領域上シフト（Ｓ２５）が選択された場合、すなわちリモコンで過去プログラムへ４８のボタンが押された場合、選択領域を上へスクロールする。つまり図１４のフローチャート図において選択領域を１ステップ上へ移動（Ｓ２６）する。この場合の１ステップとは１番組情報セル分のことであり、１５分間だけ過去へさかのぼって表示することになる。さらにＥＰＧ画面を下にスクロール（Ｓ２７）する。そして時制（Ｓ２８）で、過去にさかのぼってＥＰＧ情報を表示したければ選択領域上シフト（Ｓ２５）を選択する。また未来にさかのぼってＥＰＧ情報を表示したければ選択領域下シフト（Ｓ３０）を選択する。また時制を変えない場合はリモコン入力待ち（Ｓ２９）になり、リモコンからなんらかの入力がなされたら図１０〜１５のフローチャート図に処理が移る。
【００５４】
リモコン入力待ち（Ｓ４）で選択領域下シフト（Ｓ３０）が選択された場合、すなわちリモコンで未来プログラムへ５１のボタンが押された場合、選択領域を下へスクロールする。つまり図１５のフローチャート図において選択領域を１ステップ下へ移動（Ｓ３１）する。この場合の１ステップとは１番組情報セル分のことであり、１５分間だけ未来へさかのぼって表示することになる。さらにＥＰＧ画面を上へスクロール（Ｓ３２）する。そして時制（Ｓ３３）で、過去にさかのぼってＥＰＧ情報を表示したければ選択領域上シフト（Ｓ２５）を選択する。また未来にさかのぼってＥＰＧ情報を表示したければ選択領域下シフト（Ｓ３０）を選択する。また時制を変えない場合はリモコン入力待ち（Ｓ３４）になり、リモコンからなんらかの入力がなされたら図１０〜１５のフローチャート図に処理が移る。
【００５５】
以上で画面の表示を変える表示処理のための操作を説明した。
【００５６】
このように表示画面を操作することによって、ＥＰＧ情報の広い範囲を容易に閲覧することもでき、またＥＰＧ情報を詳細に閲覧することもでき、番組選択のための補助とすることができる。
【００５７】
なお、本発明のズーム命令は本実施の形態の選択領域の縮小および選択領域の拡大のように、全画面、チャンネル３個の表示、チャンネル５個の表示、チャンネル１１個の表示の４段階のズーム処理を行うものに限らない。３段階や５段階など２段階以上の任意の段階でズーム処理を行うものでありさえすればよい。
【００５８】
さらに本発明のズーム命令は本実施の形態のように離散的に倍率を変えていくものに限らず、連続的にズームの倍率を変えていくものでもかまわない。
【００５９】
さらに、本発明のズーム命令は上述した実施の形態における表示画面の中央を中心に拡大または縮小を行うものに限らず、画面右上端、画面下左端など、要するに画面内部または外部の任意の位置に中心をとって、この位置を中心にズーム命令を実行するものでありさえすればよい。
【００６０】
さらに、本実施の形態の番組情報セルは上述した実施の形態のように１５分間隔で作成するものに限らず、１０分、３０分など、要するにＥＰＧ情報を表示する際に縮小や拡大などのズーム処理を行うことが容易になるような時間間隔でありさえすればよい。
【００６１】
さらに、本実施の形態のＥＰＧデータセル化格納手段は上述した実施の形態のように番組情報をチャンネルと一定の時間でセルに分割して格納するものに限らず、ＥＰＧ情報を一定時間のセルに分割せず、番組が放送される時間帯とチャンネル単位でＥＰＧ情報を分割して格納してもかまわない。チャンネルと番組が放送される時間帯でセルに分割する例として図２７のような番組情報一覧表を用いることができる。このようなテーブルを用いても、図３の番組情報一覧表を用いる場合と同等の効果を得ることができる。
【００６２】
（実施の形態２）
次に第２の実施の形態について図面を参照して説明する。本実施の形態ではＥＰＧ情報を検索する場合について説明する。本実施の形態の構成は第１の実施の形態と同一であるので、記述を省略する。
【００６３】
図５は現在放送中の番組を選択した場合の操作の流れを示す図である。
全画面６１は表示モニタ５全体に現在選択されている番組を表示したものである。ＥＰＧ３（６２）は現在選択されている番組を中心に３個のチャンネルのＥＰＧ情報が表示されているもので、第１の実施の形態で説明した図１６に対応するものである。ＥＰＧ５（６３）は現在選択されている番組を中心に５個のチャンネルのＥＰＧ情報が表示されているもので、第１の実施の形態で説明した図１７に対応するものである。ＥＰＧ１１（６４）は現在選択されている番組を中心に１１個のチャンネルのＥＰＧ情報が表示されているもので、第１の実施の形態で説明した図１８に対応するものである。以上全画面６１、ＥＰＧ３（６２）、ＥＰＧ５（６３）、ＥＰＧ１１（６４）を互いに移る操作は第１の実施の形態で説明したのと同一である。ジャンル検索６６はジャンルに関する検索を行うもので、図２２がその画面例である。リンク検索６７は表示されたＥＰＧ情報の記事内容からキーワードを抽出してこのキーワードをもとにＥＰＧ情報を検索するもので、図１６がその画面例である。時間軸あり６８は検索結果を時間軸を残して表示するもので、図１９がその画面例である。
【００６４】
時間軸なし６９は検索結果を検索結果に該当しない番組は削除することにより時間軸をなくして表示するものである。
【００６５】
図１９のように時間軸にしたがって表示した場合は、同時刻に多チャンネルに検索結果に該当する番組があるのかどうかを知りたいといった、時間とチャンネルとの関係を表示することができる。また、時間軸をなくして表示する場合は、同じチャンネル内で、該当する番組が過去から未来に渡って多く見つかった場合、時間軸に制約されることなく表示することができるため、該当番組をより多く表示することができるという効果がある。ＥＰＧ５（７０）は検索条件に該当する番組の間をカーソルを移動させ、選択された番組に関して、５個のチャンネルのＥＰＧ情報の表示を行ったものであり、図１７に対応する。ＥＰＧ３（７１）はＥＰＧ５（７０）のＥＰＧ情報表示画面を３個のチャンネルのＥＰＧ情報の表示を行うように拡大したものであり、図１６に対応する。ジャンル検索７２はジャンル検索６６と同様ジャンルに関する検索を行うもので、図２２がその画面例である。リンク検索７３はリンク検索６７と同様ジャンルに関する検索を行うもので、図２２がその画面例である。
【００６６】
次にこのような画面構成のもとにリモコンを用いてＥＰＧ情報を検索する動作について説明する。
【００６７】
まず最初にジャンル別検索の操作と画面表示例について説明する。ＥＰＧ３（６２）、ＥＰＧ５（６３）、ＥＰＧ１１（６４）のいずれかが表示モニタ５上に表示されているときに、リモコンを用いて検索５３のボタンを押したとする。そうするとジャンル検索６６の画面になる。ジャンル検索６６の画面例は図２２である。トップメニューとしてジャンルが選択できるようになっている。トップメニューからスポーツ１５９を選択したとする。ただし前述したようにメニューの選択はリモコンの確定５２のボタンで行うことができる。またカーソルの移動は次の４個のボタンで行うことができる。すなわちＣｈ切り替え４９のボタンでカーソルは左向きに移動し、Ｃｈ切り替え５０のボタンでカーソルは右向きに移動し、過去プログラムへ４８のボタンでカーソルは上向きに移動し、また未来プログラムへ５１でカーソルは下向きに移動することができる。以下メニューを選択する際には上述したボタンを用いてカーソルを移動し、また選択するものとする。今スポーツを選択したので、画面下方に今度はサブメニュー１６０が現れる。サブメニューのジャンルを選択すると実際にＥＰＧ情報の検索が実行される。そして検索結果は、画面の縦軸に時間軸をとり横軸にチャンネルを取り番組名を表示する時間軸あり６８の表示方法と、画面の縦軸の時間軸をなくし検索条件に該当する番組のみ時間を詰めて横軸にはチャンネルを取り番組名を表示する時間軸なし６９の表示方法とがある。これらの表示方法はリモコン２４のトグル４３のボタンを押すことで、リモコン２４からの制御コードを受けとったマイコン７がＥＰＧ画面生成手段４に情報を伝え、表示方法を変えることができる。
【００６８】
さらに時間軸あり６８または時間軸なし６９の画面上をリモコンを用いてカーソルを動かし、検索条件に該当している番組を選択することができる。特定の番組を選択し、さらにリモコンから手前へ５８のボタンを押すと選択された番組を画面中央にしてＥＰＧ５（７０）のように画面がかわる。さらにリモコンで手前へ５８のボタンを押すとＥＰＧ（７１）のように画面がかわる。ここで、リモコンから検索５３のボタンを押すと再度検索することができる。またＥＰＧ３（７１）からリモコンの奥へ５７のボタンを２度押すと、ＥＰＧ５（７０）を経て、検索結果である時間軸あり６８または時間軸なし６９に画面を戻すことができる。また時間軸あり６８または時間軸なし６９の画面が表示されているときにリモコンで戻る４６のボタンを押せばジャンル検索６６に表示画面が変わりさらに戻る４６のボタンを押せばＥＰＧ３（６２）、ＥＰＧ５（６３）、ＥＰＧ１１（６４）のいずれかが表示モニタ５上に表示される。
【００６９】
次にリンク検索の操作と画面表示例について説明する。ジャンル検索を行う場合と同様にしてＥＰＧ３（６２）、ＥＰＧ５（６３）、ＥＰＧ１１（６４）のいずれかが表示モニタ５上に表示されているとする。このときリモコンを用いてリンク５４のボタンを押したとする。そうすると、リンク検索６７に処理が移る。この場合は画面の表示は変わらないが、リモコンのボタンの機能が変わる。すなわち、Ｃｈ切り替え４９、Ｃｈ切り替え５０、過去プログラムへ４８、未来プログラムへ５１はカーソル移動をするボタンになる。さらに確定５２はキーワードを選択するボタンになる。今ＥＰＧ３（６２）の画面が表示されているとする。画面例は図１６である。このとき、画面に表示されているキーワード単位にカーソルを移動させることができる。例えばカーソルがキーワードである「マイケル・ダグラス」の上にあるものとする。このときリモコンで確定５２のボタンを押して「マイケル・ダグラス」を選択すると、「マイケル・ダグラス」に関係のある番組が検索される。すなわち、このキーワードを番組情報抽出手段１５でＥＰＧデータベースから「マイケル・ダグラス」を検索し、該当する番組の検出を行う。これにより、ＥＰＧ３、あるいはＥＰＧ５の画面にその番組名をハイライト表示することで検索が行われる。例えば「マイケル・ダグラス」が出演した映画が検索される。あるいは「マイケル・ダグラス」は外国人なので洋画が検索されるなどが考えられる。検索結果はジャンル別検索と同じように時間軸あり６８または時間軸なし６９のように表示され、それらの画面をリモコンのトグル４３のボタンで相互に切り替えることができる。またＥＰＧ５（７０）、ＥＰＧ３（７１）に移って、再検索をかけことが出来るなどの処理もジャンル別検索の場合と同様にして行うことができる。また、時間軸あり６８や時間軸なし６９が表示されているときリモコンで戻る４６のボタンを押せば、リンク検索６７の画面が表示され、さらに戻る４６のボタンを押せば、ＥＰＧ３（６２）、ＥＰＧ５（６３）、ＥＰＧ１１（６４）のいずれかが表示モニタ５上に表示される。
【００７０】
図１９にリンク検索の場合の検索結果の画面を示す。この場合、カーソルを移動して、キーワードであるゴールデン洋画劇場１５１が選択されたとする。そうするとゴールデン洋画劇場１５１はジャンルが映画であるので、映画が検索される。このようにして映画であるＥＰＧ情報が色または輝度を変えてハイライト表示される。例えば、図１９では、名画劇場１４９、ロードショー１４８、ナイトシネマ１５０などがハイライト表示されている。図１９でリモコンによりカーソルを移動すると、ハイライト表示されている番組の部分のみカーソルが飛んでいき、リンク検索に合致した番組を選択することができる。
【００７１】
また、ジャンル別検索とリンク検索は、現在の番組を選択している場合の操作も、まだ放送されていない未来の番組を選択した場合の操作も、放送がすでに終わった過去の番組を選択した場合の操作も、表示モニタ上に一つの番組が表示されているときの操作も同一である。従って時制やモニタの状態によって区別して考える必要はない。
【００７２】
このような検索を行うことによってＥＰＧ情報を容易に有効に利用しながら視聴したい番組を選択することができる。
【００７３】
（実施の形態３）
次に第３の実施の形態について図面を参照して説明する。本実施の形態では外部記録再生デバイスを用いて、録画、録画予約、再生、視聴、視聴予約する場合について説明する。本実施の形態の構成は第１の実施の形態と同一であるので、記述を省略する。
【００７４】
図１において放送局１から送られてくる番組とＥＰＧ情報はチューナ２を介して入力切替手段３に入力される。一方ＶＴＲ１０、ＤＶＤ１１、ＨＤＤ１２などの外部記録再生機器に格納されている番組はＥＰＧ画面生成手段４で生成された画面に基づきリモコンで操作される。その結果は外部機器／ＥＰＧデータ関連付け手段７でＥＰＧデータと外部機器が関連付けられて、その結果を受けて外部記録機器制御信号生成手段２１で、外部記録再生機器を制御する信号（以下制御コマンドと記す）が発生される。さらにＩＥＥＥ１３９４ディジタルインターフェース部９で実際に外部記録再生機器とやり取りがなされる。そしてこの外部機器制御信号生成手段２１で生成された制御コマンドは、ＩＥＥＥ１３９４−１９９５で規定されたプロトコルにしたがって、外部記録再生機器に送られる。この制御コマンドは、再生、停止、早送り、巻戻し、録画といった機器のメカニカルな動作を指示するコマンドや、あるいは、機器の現在の状態や内部情報を問い合わせるコマンド、あるいはその情報を変更するようなコマンドが送られ、その応答が外部記録再生機器から返される。このようなコマンドのやり取りをすることで、録画、再生といった動作を制御し、ＩＥＥＥ１３９４シリアルバス上にＡＶデータを送受信することが可能となる。外部記録再生機器から送られてきた再生映像データは入力切替手段３に入力されチューナ２から受信された番組とＥＰＧ情報とを用いてＥＰＧ画面や番組が表示モニタ５に表示される。
【００７５】
次にこのようにして表示するＥＰＧ情報の操作方法について説明する。
【００７６】
図５で現在放映中の番組を選択している場合の操作を説明する。全画面６１、ＥＰＧ３（６２）、ＥＰＧ５（６３）、ＥＰＧ１１（６４）については第１の実施の形態で説明した。デバイス選択６５は、外部記録再生機器を選択する操作を行うものであり、図２０が画面表示例である。
【００７７】
リモコンでデバイス４１のボタンを押すとデバイス選択６５が表示モニタ５に表示される。これらの機器は図１に示したように、ＩＥＥＥ１３９４シリアルバスで接続された機器が表示されている。そこで、現在選択されている番組に対して、チューナ２からの出力信号に応じた圧縮方式や放送波の形態に応じて、記録に適切なＶＴＲ１５２、ＤＶＤ１５３、ＨＤＤ１５４などの外部機器を選択することができる。
【００７８】
なお、チューナ２は、受け取った放送波アナログ信号の場合は、適切な圧縮エンコーダによって、ディジタルデータに変換して出力する。本実施の形態では、ＶＨＦ／ＵＨＦ，ＢＳといったアナログ放送は、民生用ディジタルＶＴＲの規格に基づいた圧縮方式を用い、ディジタルＣＳ放送はＭＰＥＧ２の圧縮方式を用いた。
【００７９】
前述したようにカーソルはＣｈ切り替え４９、Ｃｈ切り替え５０、過去プログラムへ４８、未来プログラムへ５１のボタンを押すことにより自由に移動させることができる。また選択は確定５２のボタンを押すことにより行うことができる。リモコンによりカーソルを移動させＨＤＤ１５４を選択したとする。さらに確定５２のボタンを押すと現在選択されている番組のＨＤＤ１５４への録画を開始する。
【００８０】
この動作をさらに詳しく説明する。現在選択されている番組のＥＰＧ情報および選択された外部記録機器の種類をＥＰＧ画面生成手段４からマイコン６が情報を受け取る。
【００８１】
マイコン７は、指定された外部記録機器ＨＤＤ１２に記録されている番組情報をＥＰＧデータ管理手段８によって、ＨＤＤ１２の番組記録開始点の決定および、ＥＰＧ画面生成手段４から受け取ったＥＰＧ情報を新たな録画リストに追加するなど、新たな番組を記録するための各種情報を追加・更新して、ＥＰＧデータ管理データベースを更新する。この際、ＨＤＤ１２では所定の録画時間が確保できない場合や、ペイパービュー番組のように、録画が制限されている場合など、確認すべき情報がある場合は、その情報をＥＰＧ画面生成手段６に通知し、利用者に対して情報の確認を行う。
【００８２】
さらに、マイコン７はＥＰＧデータ管理手段８で更新されたＥＰＧデータ管理データベースに基づいて、外部記録機器制御信号生成手段２１によって、ＨＤＤ１２を制御するための一連のコマンド手続きを準備する。
そして、最後にマイコン７は外部記録機器接続管理手段２２によって、ＨＤＤ１２をＩＥＥＥ１３９４ディジタルインターフェース部９を介して、上記コマンド手続きにしたがって機器制御を行い、入力切替手段３の出力を所定のプロトコルに変換しながら目的の番組をＨＤＤ１２へ録画する。そして、番組終了後は録画動作を自動的に停止する。
【００８３】
リモコンの戻る４６のボタンを押せば録画処理をしないでＥＰＧ５（６３）などのＥＰＧ表示画面に戻る。
【００８４】
次に図６でまだ放送が行われていない未来の番組を選択している場合の操作を説明する。全画面７４、ＥＰＧ３（７５）、ＥＰＧ５（７６）、ＥＰＧ１１（７７）については第１の実施の形態で説明した。すなわち全画面７４は現在選択されている番組のチャンネルで放送中の番組が表示される。ＥＰＧ３（７５）、ＥＰＧ５（７６）、ＥＰＧ１１（７７）はそれぞれ図１６、図１７、図１８に対応する。視聴予約７８は視聴予約をするもので、図２４が画面表示例である。選択７９は視聴予約をするか録画予約をするかを選択するもので、図２５が画面表示例である。デバイス選択８０は外部記録再生機器を選択するもので、図２０が画面表示例である。録画予約８１は録画予約をするもので、図２３が画面表示例である。視聴予約８２は視聴予約を行うもので、図２４がその画面表示例である。デバイス選択８３は外部記録再生機器を選択するもので、図２０が画面表示例である。録画予約８４は録画予約をするもので、図２３が画面表示例である。
【００８５】
表示モニタ５は、ＥＰＧ３（７５）、ＥＰＧ５（７６）、ＥＰＧ１１（７７）のいずれかの表示画面であるとする。いまＥＰＧ５（７６）の表示画面になっているとする。リモコンで確定５２のボタンを押すと、表示画面は選択７９になる。つまり図２５のように視聴予約か録画予約か選択して下さい１６７のメッセージとともに、視聴予約１６８と録画予約１６９のいずれかを選ぶための画面が現れる。リモコンによりそのいずれかを選択する。まず視聴予約１６８が選択されたとする。そうすると画面は視聴予約７８に変わる。つまり図２４のような画面になる。ここでリモコンによりＯＫ１６５を選択し、続けて確定５２のボタンを押せば視聴予約は完了し、表示画面はＥＰＧ５（７６）に戻る。またキャンセル１６６を選択し、続けて戻る４６のボタンを押せば、視聴予約しないで、選択７９の画面に戻る。図２５で録画予約１６９を選択した場合はデバイス選択８０の画面になる。すなわち図２０のような画面になり選択されている未来の番組に対して、ＶＴＲ１５２、ＤＶＤ１５３、ＨＤＤ１５４などの外部機器を選択することができる。リモコンによりカーソルを移動させＨＤＤ１５４を選択したとする。続けて確定５２のボタンを押したとする。すると選択されている未来の番組に対してＨＤＤ１５４を録画するためのデバイスとして選択したことになり、表示画面は録画予約８１になる。すなわち図２３のような表示画面になり、ＯＫ１６２を選択し、続けて確定５２のボタンを押せば、選択されている未来の番組がＨＤＤ１５４に対して録画予約され、ＥＰＧ５（７６）に画面が戻る。キャンセル１６３を選択し、続けて戻る４６のボタンを押せば録画予約されないで、デバイス選択８０の画面に戻る。さらに続けて戻る４６のボタンを押せば選択７９の画面に戻る。
【００８６】
以上の動作を再度、図１用いて詳細に説明する。
現在選択されている番組のＥＰＧ情報および選択された外部記録機器の種類をＥＰＧ画面生成手段４からマイコン６が情報を受け取る。
【００８７】
視聴予約の場合、マイコン７は、ＥＰＧデータ管理手段８によって、ＥＰＧ画面生成手段４から受け取ったＥＰＧ情報を新たな視聴予約リストに追加してＥＰＧデータ管理データベースを更新する。そして、指定時刻となったときに、チューナ２を動作させ、指定チャンネルを出力させ、表示モニタ５に出力する。そして、番組終了時刻にチューナ２などの動作を止める。
【００８８】
録画予約の場合、現在選択されている番組のＥＰＧ情報および選択された外部記録機器の種類をＥＰＧ画面生成手段４からマイコン６が情報を受け取る。
【００８９】
マイコン７は、指定された外部記録機器ＨＤＤ１２に記録されている番組情報をＥＰＧデータ管理手段８によって、ＨＤＤ１２の番組記録開始点の決定および、ＥＰＧ画面生成手段４から受け取ったＥＰＧ情報を新たな録画リストに追加するなど、新たな番組を記録するための各種情報を追加・更新して、ＥＰＧデータ管理データベースを更新する。この際、ＨＤＤ１２では所定の録画時間が確保できない場合や、ペイパービュー番組のように、録画が制限されている場合など、確認すべき情報がある場合は、その情報をＥＰＧ画面生成手段６に通知し、利用者に対して情報の確認し、録画予約の画面上での操作は完了する。
【００９０】
さらに、マイコン７はＥＰＧデータ管理手段８で更新されたＥＰＧデータ管理データベースに基づいて、外部記録機器制御信号生成手段２１によって、ＨＤＤ１２を制御するための一連のコマンド手続きを準備する。
【００９１】
そして、録画開始時刻になると、マイコン７は、チューナ２に対して、指定チャンネルの出力を指示し、ＨＤＤ１２に対しては上記コマンド手続きによって録画を行うための処理を開始する。
【００９２】
最後にマイコン７は外部記録機器接続管理手段２２によって、ＨＤＤ１２をＩＥＥＥ１３９４ディジタルインターフェース部９を介して、上記コマンド手続きにしたがって機器制御を行い、入力切替手段３の出力を所定のプロトコルに変換しながら目的の番組をＨＤＤ１２へ録画する。そして、番組終了後は録画動作を自動的に停止する。
【００９３】
またリモコンから視聴４４のボタンを押すと表示画面はＥＰＧ５（７６）から視聴予約８２に変わり、図２４のように表示される。ここで、ＯＫ１６５を選択し、続けて確定５２のボタンを押せば視聴予約され、またキャンセル１６６を選択し、続けて戻る４６のボタンを選択すれば、視聴予約されない。このようにして、再び表示画面はＥＰＧ５（７６）に戻る。
【００９４】
またリモコンから録画４５のボタンを押すと表示画面はＥＰＧ５（７６）からデバイス選択８３に変わり、図２０のように表示される。リモコンによりＨＤＤ１５４などのデバイスを選択し、続けて確定５２のボタンを押すと、さらに画面は録画予約８４、つまり図２３に変わるので、ＯＫ１６２かキャンセル１６３を選択すれば録画予約するかしないかの指定になる。
【００９５】
次に図７でもうすでに放送の終わった過去の番組を選択している場合の操作を説明する。全画面９３、ＥＰＧ３（９４）、ＥＰＧ５（９５）、ＥＰＧ１１（９６）については第１の実施の形態で説明した。すなわち全画面９３は現在選択されている番組のチャンネルで現時刻で放送されている番組が表示される。ＥＰＧ３（９４）、ＥＰＧ５（９５）、ＥＰＧ１１（９６）はそれぞれ図１６、図１７、図１８に対応する。コンテンツサーチ９７は放送された番組を録画したものや運動会などの放送ではないコンテンツを録画したものからコンテンツを選択するもので、図２１が表示例である。選択９８は視聴予約をするか録画予約をするかを選択するもので、図２５が画面表示例である。視聴予約９９は視聴予約をするもので、図２４が画面表示例である。デバイス選択１０２は外部記録再生機器を選択するもので、図２０が画面表示例である。録画予約１０３は録画予約するもので、図２３が画面表示例である。また１Ｗ以内にある１００は過去の番組を選択して録画する際にその番組の再放送が表示画面内にあるときの画面であり、ＥＰＧ１１（９６）の画面に再放送の部分がハイライト表示されたものである。１Ｗ以外にある１０１は過去の番組を選択して録画する際にその番組の再放送の部分が表示画面内にないときの画面であり、最短の再放送の時間帯やチャンネルを示すダイアログが表示されるものである。
【００９６】
表示モニタ５上の画面はＥＰＧ３（９４）、ＥＰＧ５（９５）、ＥＰＧ１１（９６）のいずれかの画面とする。ここでは、ＥＰＧ５（９５）の画面が表示され、過去の番組が選択されているとする。このときリモコンで録画４５のボタンが押されたとすると、表示画面はコンテンツサーチ９７になる。つまり表示画面は図２１のようになる。リモコンによりカーソルを移動したり、またＶＴＲ１５６の欄を選択することで、別のデバイスのコンテンツを表示したりすることができる。いま、ＶＴＲ１５６のコンテンツである土曜特集１５７が選択されたとする。このときさらにリモコンの確定５２のボタンを押すと表示画面は全画面９３になり、土曜特集１５７が再生される。
【００９７】
上記動作を図１を用いて再度詳しく説明する。この場合、現在選択されている番組のＥＰＧ情報および選択された外部記録機器の種類をＥＰＧ画面生成手段４からマイコン６が情報を受け取る。
【００９８】
マイコン７は、指定された外部記録機器ＶＴＲ１０に記録されている番組情報をＥＰＧデータ管理手段８によって、ＥＰＧデータ管理データベースから録画リストを抽出し、ＶＴＲ１０に録画してある土曜特集１５７の再生開始位置や録画時間などの情報を確認する。
【００９９】
そして直ちに、マイコン７はＥＰＧデータ管理手段８からのＥＰＧデータ管理データベースに基づいて、外部記録機器制御信号生成手段２１により、ＶＴＲ１０を制御するための一連のコマンド手続きを準備する。
【０１００】
最後にマイコン７は外部記録機器接続管理手段２２によって、ＶＴＲ１０の再生を開始させ、その出力をＩＥＥＥ１３９４ディジタルインターフェース部９を介して入力切替手段３へ入力し、ＥＰＧ画面生成手段４を通じて表示モニタ５へ主出力する。
【０１０１】
そして、その番組土曜特集１５７が終了後は再生動作を自動的に停止し、所定のＥＰＧ画面に戻る。
【０１０２】
コンテンツサーチ９７で、放送番組ではない映像は番組名ではなくその内容を表す代表的な静止画が表示されるので内容を確認することができる。コンテンツサーチ９７でリモコンから戻る４６を選択するとＥＰＧ５（９５）に戻る。
【０１０３】
またリモコンから確定５２のボタンを押したとする。このとき表示画面は選択９８になる。つまり図２５が表示される。ここでは選択されている過去の番組の再放送を探し、この再放送の番組に対して視聴予約するか録画予約する。視聴予約か録画予約を設定したあと、その番組が放送中の場合はリモコンで確定５２のボタンを押すと、選択された再放送が放送中の場合は全画面９３が表示される。また放送中でない場合はリモコンで戻る４６のボタンを押すと視聴予約または録画予約されたあと、ＥＰＧ５（９３）に表示画面が戻る。
【０１０４】
またリモコンから視聴４４のボタンを押したとする。このとき表示画面は視聴予約９９になる。つまり図２４になる。図２４でキャンセル１６６を選択して、続けて戻る４６のボタンを押せば、視聴予約をキャンセルしてＥＰＧ５（９５）に表示画面が戻る。またＯＫ１６５を選択すと、選択されている過去の番組に一番近い未来の再放送を探し、この番組に対して視聴予約を行う。この番組が現在放送中である場合はリモコンの確定５２のボタンを押せば全画面９３にこの番組が表示される。まだ放送されていない番組である場合は確定５２のボタンを押せば、視聴予約されたあと、ＥＰＧ５（９５）に画面が戻る。戻る４６のボタンを押せば、視聴予約されないで、ＥＰＧ５（９５）に画面が戻る。
【０１０５】
またリモコンから録画４５のボタンを押したとする。そうすると表示画面は１Ｗ以内にある１００か１Ｗ以外にある１０１のいずれかの画面に変わる。そこで確定５２のボタンを押せばデバイス選択１０２の画面になる。つまり図２０が表示される。ここでデバイスを選択して、確定５２のボタンを押せば録画予約１０３の画面になる。録画予約するかしないかによってＯＫ１６２あるいはキャンセル１６３を選択すればよい。ＯＫ１６２が選択されたとき、再放送の番組が放送中であれば、リモコンの確定５２のボタンを押すと全画面９３が表示され録画予約された番組が画面に表示される。また放送中でない場合は確定５２のボタンを押すと、ＥＰＧ５（９５）の画面に戻る。また戻る４６のボタンを押すと録画予約されないで、ＥＰＧ５（９５）の画面に戻る。
【０１０６】
次に図８で全画面が表示されている場合の操作を説明する。全画面１１２、ＥＰＧ３（１１５）については第１の実施の形態で説明した。すなわち全画面１１２は現在選択されているチャンネルの現時刻の番組が表示される。ＥＰＧ３（１１５）は図１６に対応する。デバイス選択１１３は外部記録再生機器を選択するもので、図２０が画面表示例である。録画予約１１４は録画予約するもので、図２３が画面表示例である。
【０１０７】
全画面１１２が表示されていて、現在テレビ番組が画面に表示されているとする。このときリモコンから録画４５のボタンを押すと、デバイス選択１１３に画面が変わる。つまり図２０の画面になる。ここでＨＤＤ１５４などのデバイスを選択して、確定５２のボタンを押すと録画予約１１４の画面になる。つまり図２３が画面に表示される。ここで、ＯＫ１６２かキャンセル１６３を選択する。ＯＫ１６２を選択して、リモコンの確定５２のボタンを押すと録画予約が完了し、全画面１１２に表示画面が戻る。またデバイス選択１１３か録画予約１１４が表示されているとき、リモコンから戻る４６のボタンを押すと録画予約１１４の画面はデバイス選択１１３の画面に、デバイス選択１１３の画面は全画面１１２に戻る。
【０１０８】
このようにリモコンを使って平易な操作で録画、録画予約、再生などを行うことができる。
【０１０９】
なお、本実施の形態のＥＰＧデータ表示手段と合成手段と映像データ表示手段は本発明のズーム手段の例であり、本実施の形態のＥＰＧデータ表示手段と合成手段と映像データ表示手段は本発明の表示手段も兼ねており、本実施の形態の番組情報抽出手段は本発明のＥＰＧ情報抽出手段の例である。
【０１１０】
さらに、本発明は、ＥＰＧ情報表示方法、ＥＰＧ情報表示装置または録画再生装置の各機能の全部または一部の機能をコンピュータに実行させるためのプログラムを格納していることを特徴とするプログラム記録媒体でもある。
【０１１１】
【発明の効果】
以上説明したように、本発明を用いることにより、チャンネルと時間帯を組み合わせたＥＰＧ情報の表を広い範囲で俯瞰することができ、必要に応じてズーミングすることにより表示範囲を絞り込んでいくことによって、視聴者の望む番組情報をより簡単に、より素早く、しかも詳しく提供することができる。
【図面の簡単な説明】
【図１】本発明の第１〜３の実施の形態におけるシステム構成図。
【図２】本発明の第１〜３の実施の形態におけるシステム構成図。
【図３】本発明の第１〜３の実施の形態におけるＥＰＧデータセル化格納手段で格納されるＥＰＧ情報の形式を示す図。
【図４】本発明の第１〜３の実施の形態におけるリモコンとキーコードを示す図。
【図５】本発明の第２〜３の実施の形態における現在放送中の番組を選択している場合の検索処理と録画再生処理の表示画面と操作を示す図。
【図６】本発明の第２〜３の実施の形態におけるまだ放送されていない未来の番組を選択している場合の検索処理と録画再生処理の表示画面と操作を示す図。
【図７】本発明の第２〜３の実施の形態におけるすでに放送が終わった過去の番組を選択している場合の検索処理と録画再生処理の表示画面と操作を示す図。
【図８】本発明の第２〜３の実施の形態における全画面に番組が表示されている場合の検索処理と録画再生処理８の表示画面と操作を示す図。
【図９】本発明の第１の実施の形態におけるモニタの電源を投入した場合の処理を示すフローチャート図。
【図１０】本発明の第１の実施の形態における選択領域を左にシフトする処理を示すフローチャート図。
【図１１】本発明の第１の実施の形態における選択領域を右にシフトする処理を示すフローチャート図。
【図１２】本発明の第１の実施の形態における選択領域を縮小する処理を示すフローチャート図。
【図１３】本発明の第１の実施の形態における選択領域を拡大する処理を示すフローチャート図。
【図１４】本発明の第１の実施の形態における選択領域を過去の向きに移動する処理を示すフローチャート図。
【図１５】本発明の第１の実施の形態における選択領域を未来の向きに移動する処理を示すフローチャート図
【図１６】本発明の第１〜３の実施の形態におけるチャンネルが３個表示されている場合のＥＰＧ表示画面を示す図。
【図１７】本発明の第１〜３の実施の形態におけるチャンネルが５個表示されている場合のＥＰＧ表示画面を示す図。
【図１８】本発明の第１〜３の実施の形態におけるチャンネルが１１個表示されている場合のＥＰＧ表示画面を示す図。
【図１９】本発明の第２の実施の形態におけるリンク検索後の検索条件に該当した番組がハイライト表示されている画面を示す図。
【図２０】本発明の第３の実施の形態における番組を録画するために外部記録機器を選択する画面を示す図。
【図２１】本発明の第３の実施の形態における外部記録機器に記録されているコンテンツを再生するための画面を示す図。
【図２２】本発明の第２の実施の形態におけるジャンル検索を行うための画面を示す図。
【図２３】本発明の第３の実施の形態における録画予約する画面を示す図。
【図２４】本発明の第３の実施の形態における視聴予約する画面を示す図。
【図２５】本発明の第３の実施の形態における視聴予約するか録画予約するかを選択するための画面を示す図。
【図２６】従来のＥＰＧ表示例を示す図。
【図２７】本発明の第１〜３の実施の形態におけるＥＰＧデータセル化格納手段で格納されるＥＰＧ情報の別の形式を示す図。
【符号の説明】
１  放送局
２  チューナ
３  入力切替手段
４  ＥＰＧ画面生成手段
５  表示モニタ
６  外部機器制御手段
７  マイコン
８  ＥＰＧデータ管理手段
９  ＩＥＥＥ１３９４ディジタルインターフェース部
１０  ＶＴＲ
１１  ＤＶＤ
１２  ＨＤＤ
１３  ＥＰＧデータ分離手段
１４  ＥＰＧデータセル化格納手段
１５  番組情報抽出手段
１６  番組情報検索条件入力手段
１７  番組情報セル領域選択手段
１８  映像データ表示手段
１９  合成手段
２０  ＥＰＧデータ表示手段
２１  外部記録機器制御信号生成手段
２２  外部記録器期接続管理手段
２３  リモコン信号受信手段
２４  リモコン
【図１】
0003645720.tif 000002
【図２】
0003645720.tif 000003
【図３】
0003645720.tif 000004
【図４】
0003645720.tif 000005
【図５】
0003645720.tif 000006
【図６】
0003645720.tif 000007
【図７】
0003645720.tif 000008
【図８】
0003645720.tif 000009
【図９】
0003645720.tif 000010
【図１０】
0003645720.tif 000011
【図１１】
0003645720.tif 000012
【図１２】
0003645720.tif 000013
【図１３】
0003645720.tif 000014
【図１４】
0003645720.tif 000015
【図１５】
0003645720.tif 000016
【図１６】
0003645720.tif 000017
【図１７】
0003645720.tif 000018
【図１８】
0003645720.tif 000019
【図１９】
0003645720.tif 000020
【図２０】
0003645720.tif 000021
【図２１】
0003645720.tif 000022
【図２２】
0003645720.tif 000023
【図２３】
0003645720.tif 000024
【図２４】
0003645720.tif 000025
【図２５】
0003645720.tif 000026
【図２６】
0003645720.tif 000027
【図２７】
0003645720.tif 000028